【事件の表示】
　特許第３０７８２９９号「画像形成装置」の請求項１、２に係る特許に対する特許異議の申立てについて、次のとおり決定する。
【結　論】
　訂正を認める。
　特許第３０７８２９９号の請求項１、２に係る特許を維持する。
【理　由】
１．手続の経緯
　特許第３０７８２９９号の請求項１、２に係る発明についての出願は、平成２年５月９日に特許出願され、平成１２年６月１６日にその発明について特許の設定登録がされ、その後、その請求項１、２に係る特許について、異議申立人コニカ株式会社により特許異議の申立てがなされ、取消理由通知がなされ、その指定期間内である平成１３年７月９日に訂正請求がなされたものである。
　
２．訂正の適否についての判断
（１）訂正の内容
　特許権者が求めている訂正の内容は、以下のとおりである。
ア．訂正事項ａ
　特許請求の範囲の請求項１について、
「【請求項１】電源投入時のウオームアップ状態において、原稿の画像データの読み取りを指示する指示手段と、
　上記指示手段の指示により読み取られた画像データを記憶する記憶手段と、
　上記ウオームアップが完了して画像形成が可能な状態になった時に、上記記憶手段に記憶された画像データを読み出し画像形成処理を実行する制御手段とを備えたことを特徴とする画像形成装置。」を、
「【請求項１】原稿の画像データを読み取る画像読み取り部と、
　電源投入時のウオームアップ状態において、原稿の画像データの読み取りを指示する指示手段と、
　上記指示手段の指示により読み取られた画像データを記憶する記憶手段と、
　上記ウオームアップ状態において、上記指示手段による指示があると上記画像読み取り部に原稿の画像データを読み取らせて上記記憶手段に記憶させ、上記ウオームアップが完了して画像形成が可能な状態になった時に、上記記憶手段に記憶された画像データを読み出し画像形成処理を実行する制御手段とを備えたことを特徴とする画像形成装置。」
と訂正する。
イ．訂正事項ｂ
　発明の詳細な説明の「（ｄ）課題を解決する手段」の欄について
「上述した目的を達成するための本発明による画像形成装置は、電源投入時のウオームアップ状態において、原稿の画像データの読み取りを指示する指示手段と、上記指示手段の指示により読み取られた画像データを記憶する記憶手段と、上記ウオームアップが完了して画像形成が可能な状態になった時に、上記記憶手段に記憶された画像データを読み出し画像形成処理を実行する制御手段とを備えたことを特徴とする。」を、
「上述した目的を達成するための本発明による画像形成装置は、原稿の画像データを読み取る画像読み取り部と、電源投入時のウオームアップ状態において、原稿の画像データの読み取りを指示する指示手段と、上記指示手段の指示により読み取られた画像データを記憶する記憶手段と、上記ウオームアップ状態において、上記指示手段による指示があると上記画像読み取り部に原稿の画像データを読み取らせて上記記憶手段に記憶させ、上記ウオームアップが完了して画像形成が可能な状態になった時に、上記記憶手段に記憶された画像データを読み出し画像形成処理を実行する制御手段とを備えたことを特徴とする。」と訂正する。
　　　
（２）訂正の目的の適否、新規事項の有無、及び特許請求の範囲の拡張・変更の存否
ア．上記訂正事項ａに関連する記載として、願書に添付した明細書（以下、「特許明細書」という。）の発明の詳細な説明の第２頁第４欄第１０〜１４行目「第２図は同複写機の画像読み取り、書き込み部の部分ブロック図である。ＣＣＤアレイ３１はＶドライバ３２、タイミングＩＣ３３によるタイミング制御に基づいて原稿２の画像データを読み取る。」の記載、第２頁第４欄第２９〜４０行目の「第１図は、上述した指示手段である設定キー１０の操作による予約処理時の第２図に示した制御手段による処理手順を示したフローチャートであり、同図（Ａ）はウオームアップ時や大量コピー時の予約処理手順を示している。……・こののち予約モード設定キー１０が再び押下されると原稿台１上の原稿２の画像が読み取られ、ＲＡＭの記憶エリアＭＩに記憶される（ｎ３→ｎ４）。」の記載、第２頁第３欄第２８〜３２行目の「以上のように構成された本発明の画像形成装置によれば、電源投入時のウオームアップ状態の間に原稿の画像データを読み取り、該読み取った画像データを記憶手段に記憶できる。」の記載が認められる。
　そうすると、上記訂正事項ａは、明細書の特許請求の範囲の請求項１に記載された「画像形成装置」と「制御手段」を限定したものであって、新規事項の追加に該当せず、また、実質上特許請求の範囲を拡張し、又は変更するものでもない。
イ．また、上記訂正事項ｂは、明瞭でない記載の釈明を目的とする明細書の訂正に該当するものであって、新規事項の追加に該当せず、また、実質上特許請求の範囲を拡張し、又は変更するものでもない。
　　
（３）むすび
　以上のとおりであるから、上記訂正は特許法第１２０条の４第２項及び同条第３項において準用する第１２６条第２、３項の規定に適合するので、当該訂正を認める。
　
３．特許異議の申立てについて
（１）申立の理由の概要
　特許異議申立人コニカ株式会社は、第３０７８２９９号の請求項１、２に係る発明の特許に対して、証拠として、甲第１号証（特開昭５９−３４５４号公報）、甲第２号証（特開昭６１−１１７５６９号公報）、甲第３号証（特開平１−２５８５５０号公報）及び甲第４号証（特開昭６２−８７３７８号公報）を提出し、本件請求項１、２に係る発明の特許は特許法第２９条第２項の規定に違反してなされたものであり、本件発明についての特許を取り消すべき旨主張している。
　　
（２）本件発明
　特許第３０７８２９９号の請求項１、２に係る発明は、平成１３年７月９日付けの訂正明細書の特許請求の範囲の請求項１、２に記載された次の事項により特定されるとおりのものである。
「【請求項１】原稿の画像データを読み取る画像読み取り部と、
　電源投入時のウオームアップ状態において、原稿の画像データの読み取りを指示する指示手段と、
　上記指示手段の指示により読み取られた画像データを記憶する記憶手段と、
　上記ウオームアップ状態において、上記指示手段による指示があると上記画像読み取り部に原稿の画像データを読み取らせて上記記憶手段に記憶させ、上記ウオームアップが完了して画像形成が可能な状態になった時に、上記記憶手段に記憶された画像データを読み出し画像形成処理を実行する制御手段とを備えたことを特徴とする画像形成装置。
【請求項２】上記指示手段はさらに画像形成条件の入力を指示し、上記記憶手段は入力された画像形成条件も記憶し、また、上記制御手段は、該画像形成条件により画像形成処理を行うことを特徴とする、請求項１記載の画像形成装置。」
　　
（３）刊行物に記載された発明
（ア）甲第１号証（特開昭５９−３４５４号公報）
　甲第１号証には、「自動スタートモードを設定する自動スタートモード設定部と、前記自動スタートモードが設定されたとき定着器の温度が予め定めた温度に達したことを検知して自動スタート信号を出力する制御部から構成されることを特徴とする電子複写機用制御装置」（特許請求の範囲）、「この自動スタートは、オペレータによる各種の設定、例えば、連続コピー、縮倍率コピー等のコピーモードに応じたスタートができるのはもちろんのことである」第２頁上右欄第４〜７行目）と記載されている。
そして、電源投入からコピー・スタートまでにおけるコピー作業性の改善（複写機の前で待つとか、もう一度足を運ぶ必要がなくなる）という効果が記載されている。
　
（イ）甲第２号証（特開昭６１−１１７５６９号公報）
　甲第２号証には、「複写機のウオームアップ中、・・プリントキーを受付可能とし、複写準備が完了した時点で複写動作を開始するようにして、オペレータの拘束時間を減少させることを目的とするものである」（第１頁下右欄第１１〜１８行目）と、「オペレータは複写機のウオーミングアップ中に複写のための設定を行った後、プリントキー１を押下して機械から離れることができ、あとはウオーミングアップが終わると同時に自動的にコピーを始める」（第２頁下左欄第１８行目〜同頁下右欄第３行目）と記載されている。
　
（ウ）甲第３号証（特開平１−２５８５５０号公報）
　甲第３号証には、「先行原稿に対応する上記複写手段の作動中に、読み取るべき後続原稿に対応する所要の操作を上記操作手段に入力し、上記操作手段への入力に対応した制御手段の制御により、後続原稿を読み取り、記憶手段に記憶し、先行原稿に対応する複写手段の作動終了後、後続原稿に対応する複写手段の作動を開始するよう制御されるデジタル画像形成装置において」（特許請求の範囲）と記載され、「複数の記憶領域を有し、違う原稿に対する書き込みと読み取りを同時に行う事が出来るデジタル複写機は広く知られている」（第１頁下右欄第１９行目〜第２頁上左欄第１行目）と記載されている。
　
（エ）甲第４号証（特開昭６２−８７３７８号公報）
　甲第４号証には、「本発明は電源投入時にフォーミングアップ時間を要する電子写真式プリンタ等のイニシャル制御方式であって、印字情報受信可能状態に初期化（イニシャライズ）したときレディ信号を送出して印字情報の受信を開始せしめ、フオーミングアップ完了を待って印字動作を開始する方式を提供する」（第１頁下右欄第３〜９行目）と記載され、「本発明はフオーミングアップ終了以前にホストと通信を行い、印刷準備を行わしめるもので、電源投入時における印刷開始時間を速める効果がある」（第３頁上右欄第１５〜１８行目）と記載されている。
　
（４）対比・判断
（ア）請求項１に係る発明について
　請求項１に係る発明と申立人が提出した甲各号証記載の発明とを対比すると、当該刊行物のいずれにも、「ウオームアップ状態において、指示手段による指示があると画像読み取り部に原稿の画像データを読み取らせて記憶手段に記憶させ」る点が記載されておらず、また、当該各刊行物を組み合わせたものからも容易に考えられるものではなく、当該構成によって、ウオームアップ中の複写作業において、ユーザが待ち続ける必要がなくなり、例えば、原稿を読み取らせ、読み取らせた後すぐに原稿を持ち帰ることができ、装置の前に拘束される時間を短縮できて操作性が格段に向上するという効果が得られるものと認められる。
　したがって、本件請求項１に係る発明は、上記甲各号証に記載の発明から当業者が容易に推考しうるものではない。
（イ）請求項２に係る発明について
　請求項２に係る発明は、請求項１に係る発明を更に限定したものであるから、上記請求項１に係る発明についての判断同様な理由により、上記甲各号証に記載の発明から当業者が容易に推考しうるものではない。
　以上のとおり、請求項１、２に係る発明は、申立人コニカ株式会社が提出した甲各号証に記載された発明から当業者が容易に発明をすることができたものではない。
（５）むすび
　したがって、特許異議申立の理由及び証拠によっては、本件請求項１、２に係る発明の特許を取り消すことができない。
　また、他に本件請求項１、２に係る発明の特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年７月２３日（２００１．７．２３）
【訂正の要旨】
　訂正の要旨
ア．訂正事項ａ
　特許請求の範囲の請求項１について、
「【請求項１】電源投入時のウオームアップ状態において、原稿の画像データの読み取りを指示する指示手段と、
　上記指示手段の指示により読み取られた画像データを記憶する記憶手段と、
　上記ウオームアップが完了して画像形成が可能な状態になった時に、上記記憶手段に記憶された画像データを読み出し画像形成処理を実行する制御手段とを備えたことを特徴とする画像形成装置。」を、
「【請求項１】原稿の画像データを読み取る画像読み取り部と、
　電源投入時のウオームアップ状態において、原稿の画像データの読み取りを指示する指示手段と、
　上記指示手段の指示により読み取られた画像データを記憶する記憶手段と、
　上記ウオームアップ状態において、上記指示手段による指示があると上記画像読み取り部に原稿の画像データを読み取らせて上記記憶手段に記憶させ、上記ウオームアップが完了して画像形成が可能な状態になった時に、上記記憶手段に記憶された画像データを読み出し画像形成処理を実行する制御手段とを備えたことを特徴とする画像形成装置。」
と訂正する。
イ．訂正事項ｂ
　発明の詳細な説明の「（ｄ）課題を解決する手段」の欄について
「上述した目的を達成するための本発明による画像形成装置は、電源投入時のウオームアップ状態において、原稿の画像データの読み取りを指示する指示手段と、上記指示手段の指示により読み取られた画像データを記憶する記憶手段と、上記ウオームアップが完了して画像形成が可能な状態になった時に、上記記憶手段に記憶された画像データを読み出し画像形成処理を実行する制御手段とを備えたことを特徴とする。」を、
「上述した目的を達成するための本発明による画像形成装置は、原稿の画像データを読み取る画像読み取り部と、電源投入時のウオームアップ状態において、原稿の画像データの読み取りを指示する指示手段と、上記指示手段の指示により読み取られた画像データを記憶する記憶手段と、上記ウオームアップ状態において、上記指示手段による指示があると上記画像読み取り部に原稿の画像データを読み取らせて上記記憶手段に記憶させ、上記ウオームアップが完了して画像形成が可能な状態になった時に、上記記憶手段に記憶された画像データを読み出し画像形成処理を実行する制御手段とを備えたことを特徴とする。」
と訂正する。
（５４）【発明の名称】
画像形成装置
（５７）【特許請求の範囲】
　【請求項１】
原稿の画像データを読み取る画像読み取り部と、
　電源投入時のウォームアップ状態において、原稿の画像データの読み取りを指示する指示手段と、
　上記指示手段の指示により読み取られた画像データを記憶する記憶手段と、
　上記ウォームアップ状態において、上記指示手段による指示があると上記画像読み取り部に原稿の画像データを読み取らせて上記記憶手段に記憶させ、
　【請求項２】上記指示手段はさらに画像形成条件の入力を指示し、上記記憶手段は入力された画像形成条件も記憶し、また、上記制御手段は、該画像形成条件により画像形成処理を行うことを特徴とする、請求項１記載の画像形成装置。
【発明の詳細な説明】
（ａ）産業上の利用分野
　本発明は、電源投入時のウォームアップ時、また大量のコピーつまり画像形成処理中等において、新たな画像形成処理を効率よく行える画像形成装置に関する。
（ｂ）従来の技術
　一般に普及している複写機は、光導電性を有する感光体を帯電したのち造像露光し、これによって形成される静電潜像にトナーを付着させ、さらにこのトナー像を用紙に転写して定着させるものである。
（ｃ）発明が解決しようとする課題
　上述したような複写機では電源投入後に定着器が定着可能温度に昇温するまでにある程度時間（ウォームアップ時間）が必要である。この間にはコピー処理を行うことができず、ウォームアップ終了まで待たなければならない。
　また大量のコピーには時間が掛かり、他の使用者が新たな原稿をコピーするには前者のコピー終了を待つか、大量コピーの途中で割込機能を動作させ、前者のコピー処理に後者のコピー処理を割り込ませるしかない。しかし後者のコピー量が多い場合には割り込みが難しく、前者のコピー終了まで待たなければならない。
　従来の場合、ウォームアップや大量コピー中にはそれらが終了してコピー可能な状態になってから原稿をセットし、コピー処理を行わなければならず、そられの終了を常に心掛けていなければならないし、また複写機まで何度も足を運ばなければならない不都合があり、ユーザの負担が大きくなっている。
　本発明の目的は、上述したようにウォームアップ中や、大量の画像形成処理中における新たな画像形成処理が行えない場合において、新たな画像形成処理を効率よく行えるようにし、ユーザの負担を軽減できる画像形成装置を提供することにある。
（ｄ）課題を解決する手段
　上述した目的を達成するための本発明による画像形成装置は、
原稿の画像データを読み取る画像読み取り部と、
上記ウォームアップ状態において、上記指示手段による指示があると上記画像読み取り部に原稿の画像データを読み取らせて上記記憶手段に記憶させ、
（ｅ）作用
　以上のように構成された本発明の画像形成装置によれば、電源投入時のウオームアップ状態の間に原稿の画像データを読み取り、該読み取った画像データを記憶手段に記憶できる。そして、ウオームアップが完了した時点で、記憶手段に記憶された画像データによる画像形成処理が行われる。これにより、電源オン時においてユーザの待ち時間が不要となり、負担が軽減される。
　また、ウオームアップ時に画像データを読み取るとき、同時に画像形成条件も入力出来るようにしている。これにより、記憶手段には画像データとともに画像形成条件も記憶される。したがって、その画像データが画像形成されるときには、ユーザが意図した正しい状態で画像形成処理が行われるようになる。
（ｆ）実施例
　第４図は、本発明の実施例である画像形成装置を構成する原稿の画像の読み取りが可能な装置を備えた複写機の正面概略図である。
　複写機本体の上面には透明な硬質ガラス体からなる原稿台１が備えられ、コピーすべき原稿２が載置される。原稿台１の下方にはＬＥＤアレイ，ＣＣＤアレイを含む走査部３が図中矢印Ａ，Ｂ方向に移動可能に設けられている。原稿台１上に載置された原稿２はこの走査部３によって読み取られ、図示しないＰＷＢに設けられたメモリに記憶される。走査部３の下方にはレーザ発振器４が備えられている。レーザ発振器４は上記メモリに記憶された画像データに基づいてレーザ光を照射する。このレーザ光はミラー５ａ，５ｂ，５ｃを介して感光体６に導かれる。感光体６はこのレーザ光照射の前に予め帯電されており、レーザ光によりその帯電電荷がキャンセルされて静電潜像を得る。静電潜像には現像器７によってトナーが付着され、このトナー像が用紙に転写されて画像が得られる。
　第２図は同複写機の画像読み取り，書き込み部の部分ブロック図である。
　ＣＣＤアレイ３１はＶドライバ３２，タイミングＩＣ３３によるタイミング制御に基づいて原稿２の画像データを読み取る。読み取られた画像はＣＤＳ，Ｓ／ＨＩＣ３４により一旦制御基板ＰＷＢのＲＡＭ３５に書き込まれる。そして印字時にはその画像データが読み出され、レーザ発振器に送られる。このＲＡＭ３５には通常のコピー処理時に用いられるエリアと、予約モードのときに予約コピーの条件や画像データを記憶するエリアと、が備えられている。
　第３図は複写機本体上に設けられた操作部の平面図である。
　操作部にはコピー枚数，画像濃度，倍率等を入力するテンキー，各種入力キー、通常のコピー開始を命令するプリントキー９、予約モードの設定キー１０等が設けられており、該設定キー１０は予約モードを指示する指示手段を構成する。
　以上のように構成される複写機において、ウォームアップ時や大量コピー中の予約処理について説明する。
　第１図は、上述した指示手段である設定キー１０の操作による予約処理時の第２図に示した制御手段による処理手順を示したフローチャートであり、同図（Ａ）はウォームアップ時の予約処理手順、同図（Ｂ）は大量コピー中の予約処理手順を示している。
　ウォームアップ中に予約モード設定キー１０がオンされると（ｎ１）、予約コピーの条件の受け付けが可能になる。すなわちテンキー等によって入力された倍率，濃度等を受け付けてＲＡＭ３５の予約モード時の記憶エリアＭ１に記憶する（ｎ２）。こののち予約モード設定キー１０が再び押下されると原稿台１上の原稿２の画像が読み取られ、ＲＡＭの記憶エリアＭ１に記憶される（ｎ３→ｎ４）。そしてウォームアップが終了したとき、前記記憶エリアＭ１に記憶されている画像データが読み出され、レーザ発振器によって造像光に変換されて感光体を照射し、画像を形成させる（ｎ５→ｎ６）。
　また大量コピー中に予約モード設定キー１０がオンされると（ｎ１１）現在行っているコピー処理を一旦中断し、コピー条件の受け付け，原稿走査を行った後再び前者のコピー処理を再開する（ｎ１２→ｎ１３→ｎ１４→ｎ１５→ｎ１６）。そして、前者のコピー処理が終了したのち予約されていたコピー処理を実行する（ｎ１７→ｎ１８）。
　このようにしてウォームアップ時や大量コピーの最中に予めコピー処理を予約することによって、それらの動作が終了した後に自動的に予約したコピー処理を実行することができる。
（ｇ）発明の効果
　以上説明したように本発明の画像形成装置によれば、電源オン時のウオームアップ状態で、画像形成が未だ出来ない間に、事前に原稿画像を読み取り、これを記憶しておき、画像形成処理が可能になったときに記憶されている画像データによる画像形成処理が行われるため、電源オン時にユーザが待ち続ける必要がなくなり、操作性が格段に向上するとともに、画像形成処理の効率的利用が可能になる。また、ウオームアップ時に画像データを読み取るとき、同時に画像形成条件も入力出来るようにしているため、その原稿に合った条件やユーザの好みに合った条件など、ユーザが意図する画像形成条件で画像形成処理が行われるようになり、利便性が非常に良い。
【図面の簡単な説明】
　第１図はこの発明の実施例である複写機における予約モード時の処理手順を示したフローチャート、第２図は同複写機の画像読み取り、書き込み部のブロック図、第３図は同複写機の操作部の平面図、第４図は同複写機の正面外観図である。
１０−予約モード設定キー、３１−ＣＣＤアレイ。